(57)【特許請求の範囲】
【請求項１】
湾曲した先端部を有するガイドワイヤが挿通可能な内腔を有する管状部材で構成され、前記内腔内に挿通されたガイドワイヤを導入針、カテーテルまたはシースに挿入するためのガイドワイヤインサータであって、
前記管状部材の軸方向の全長にわたって延び、該管状部材の管壁を貫通して形成され、前記ガイドワイヤを前記管状部材の前記内腔に挿通するためのスリットと、
前記管状部材の基端側の部位に前記スリットと連通するように形成され、前記内腔が開放され、内面が湾曲凹面あるいは平面をなす開放部と、
前記管状部材の基端側であって前記開放部の側方に設けられ、互いに反対方向に突出し、前記ガイドワイヤとともに片手で保持するための一対の翼状の突片とを有し、
前記スリットの基端部において、該スリットの溝幅が基端方向に向かって拡大して形成され、前記ガイドワイヤを前記スリットを介して前記内腔内に挿入するときの始点となる隙間部を有することを特徴とするガイドワイヤインサータ。
【請求項２】
前記ガイドワイヤを前記内腔に挿通する際、前記ガイドワイヤと前記各突片とを片手で保持し、この状態で、前記開放部の前記内面に前記ガイドワイヤを前記片手の指で押し付けながら前記ガイドワイヤを先端方向へ送り出し、該送り出されたガイドワイヤを前記スリット内に割り込ませて、その挿通操作を行なう請求項１に記載のガイドワイヤインサータ。
【請求項３】
前記突片は、平坦な形状をなしている請求項１または２に記載のガイドワイヤインサータ。
【請求項４】
前記突片は、湾曲した部分を有する形状をなしている請求項１または２に記載のガイドワイヤインサータ。
【請求項５】
前記突片は、平坦な形状の部分と湾曲した形状の部分とを有する請求項１または２に記載のガイドワイヤインサータ。
【請求項６】
前記突片の前記管状部材長手方向の長さは、ガイドワイヤインサータの全長の１０〜５０％である請求項１ないし５のいずれかに記載のガイドワイヤインサータ。
【請求項７】
前記開放部の前記内面に摩擦低減処理が施されている請求項１ないし６のいずれかに記載のガイドワイヤインサータ。
【請求項８】
前記開放部の形成領域と前記突片の形成領域とが前記管状部材の長手方向において少なくとも一部重複している請求項１ないし７のいずれかに記載のガイドワイヤインサータ。
【請求項９】
前記スリットの基端部において、該スリットの溝幅が基端方向に向かって拡大して形成され、前記開放部に連通する略Ｖ字状の隙間部を有する請求項１ないし８のいずれかに記載のガイドワイヤインサータ。
【請求項１０】
前記スリットは、前記管状部材の管壁の厚さ方向の少なくとも一部が密着している請求項１ないし９のいずれかに記載のガイドワイヤインサータ。
【請求項１１】
前記管状部材は、基端側から先端側に向けて外径が漸減するテーパ状をなす部分を有する請求項１ないし１０のいずれかに記載のガイドワイヤインサータ。
【請求項１２】
基端部に、前記ガイドワイヤの収納容器と連結可能な連結部を有する請求項１ないし１１のいずれかに記載のガイドワイヤインサータ。
【請求項１３】
前記収納容器は、チューブで構成されたものであり、
前記連結部は、その横断面がＣ字状の形状をなし、該Ｃ字状の内径が前記収納容器の外径よりも若干小さい請求項１２に記載のガイドワイヤインサータ。
【請求項１４】
前記内腔の前記開放部に開口した基端開口は、前記ガイドワイヤの導入口を形成し、該導入口の周囲は、前記管状部材の中心軸に対し傾斜した傾斜面となっている請求項１ないし１３のいずれかに記載のガイドワイヤインサータ。
【発明の詳細な説明】
【技術分野】
【０００１】
本発明は、ガイドワイヤを導入するガイドワイヤインサータ（インサータ）に関するものである。
【背景技術】
【０００２】
従来、カテーテル用ガイドワイヤを、導入針、カテーテルまたはシースに挿入する場合に、ガイドワイヤ（長尺物）の導入器具として、ガイドワイヤインサータが使用されている。
【０００３】
このガイドワイヤインサータは、湾曲した先端部を有するガイドワイヤの先端部を矯正するために用いられる。ガイドワイヤインサータは、一般に、先端部に設けられたガイドワイヤ導出口と、基端部に設けられたガイドワイヤ導入口と、両者を連通するガイドワイヤ通路とを有する筒状体で構成されている。そして、ガイドワイヤ導出口を導入針、カテーテルまたはシースの基端部に当接させた状態で、ガイドワイヤをガイドワイヤ導入口より挿入し、ガイドワイヤ通路およびガイドワイヤ導出口を介して導入針、カテーテルまたはシース内に挿入することにより使用されていた。
【０００４】
しかし、このようなガイドワイヤインサータでは、湾曲した先端部を有するガイドワイヤをインサータ内に挿入することが困難であった。ガイドワイヤの先端部の湾曲形状は、先端部が所定の血管部位の形状となるように形成されており、特に、先端部湾曲形状がＪ型、ダブルアングル型またはアングル型などのガイドワイヤでは、それらの湾曲部を矯正しながら、インサータ内に挿入することは困難であった。
【０００５】
そこで、ガイドワイヤインサータの基端部（ガイドワイヤ導入口付近）にガイドワイヤを導入するための切り欠き部を設けたガイドワイヤインサータが提案されている（例えば、特許文献１参照）。この切欠き部は、切欠き部の溝幅がガイドワイヤインサータの長手方向に一定でかつ外壁の厚さ方向に変化する形状（横断面視でＶ字状をなす形状）のものである。
【０００６】
しかし、近年、先端部湾曲形状が前記Ｊ型のガイドワイヤにおいて、その曲率半径が極めて小さいものが使用され始めているが、このようなガイドワイヤを使用する場合、前記の基端部に切り欠き部が形成されたガイドワイヤインサータを用いて挿入しようとしても、Ｊ型の先端がうまく矯正できず、簡便にガイドワイヤインサータ内に挿入することは困難であった。
【０００７】
また、このようなガイドワイヤインサータでは、手技においてガイドワイヤとガイドワイヤインサータとを保持するには、両者を片手で同時に保持する必要がしばしば生じる。さらに、収納容器（ホルダーチューブ）に収納されたガイドワイヤを取り出し、ガイドワイヤインサータ内に挿入する際には、ガイドワイヤとガイドワイヤインサータの両者を同時に保持する必要があるが、これらを同時に保持することができないため、ホルダーチューブからガイドワイヤインサータのみが引き抜かれてしまうという問題があった。
【０００８】
【特許文献１】特開平７−１５５３８２号公報
【発明の開示】
【発明が解決しようとする課題】
【０００９】
本発明の目的は、湾曲した先端部等を有するガイドワイヤを容易に挿入することができるとともに、ガイドワイヤとガイドワイヤインサータとを片手で同時に保持することができ、操作性に優れたガイドワイヤインサータを提供することにある。
【課題を解決するための手段】
【００１０】
このような目的は、下記（１）〜（１４）の本発明により達成される。
（１）  湾曲した先端部を有するガイドワイヤが挿通可能な内腔を有する管状部材で構成され、前記内腔内に挿通されたガイドワイヤを導入針、カテーテルまたはシースに挿入するためのガイドワイヤインサータであって、
前記管状部材の軸方向の全長にわたって延び、該管状部材の管壁を貫通して形成され、前記ガイドワイヤを前記管状部材の前記内腔に挿通するためのスリットと、
前記管状部材の基端側の部位に前記スリットと連通するように形成され、前記内腔が開放され、内面が湾曲凹面あるいは平面をなす開放部と、
前記管状部材の基端側であって前記開放部の側方に設けられ、互いに反対方向に突出し、前記ガイドワイヤとともに片手で保持するための一対の翼状の突片とを有し、
前記スリットの基端部において、該スリットの溝幅が基端方向に向かって拡大して形成され、前記ガイドワイヤを前記スリットを介して前記内腔内に挿入するときの始点となる隙間部を有することを特徴とするガイドワイヤインサータ。
（２）  前記ガイドワイヤを前記内腔に挿通する際、前記ガイドワイヤと前記各突片とを片手で保持し、この状態で、前記開放部の前記内面に前記ガイドワイヤを前記片手の指で押し付けながら前記ガイドワイヤを先端方向へ送り出し、該送り出されたガイドワイヤを前記スリット内に割り込ませて、その挿通操作を行なう上記（１）に記載のガイドワイヤインサータ。
【００１１】
（３）  前記突片は、平坦な形状をなしている上記（１）または（２）に記載のガイドワイヤインサータ。
【００１２】
（４）  前記突片は、湾曲した部分を有する形状をなしている上記（１）または（２）に記載のガイドワイヤインサータ。
【００１３】
（５）  前記突片は、平坦な形状の部分と湾曲した形状の部分とを有する上記（１）または（２）に記載のガイドワイヤインサータ。
【００１４】
（６）  前記突片の前記管状部材長手方向の長さは、ガイドワイヤインサータの全長の１０〜５０％である上記（１）ないし（５）のいずれかに記載のガイドワイヤインサータ。
【００１６】
（７）  前記開放部の前記内面に摩擦低減処理が施されている上記（１）ないし（６）のいずれかに記載のガイドワイヤインサータ。
【００１７】
（８）  前記開放部の形成領域と前記突片の形成領域とが前記管状部材の長手方向において少なくとも一部重複している上記（１）ないし（７）のいずれかに記載のガイドワイヤインサータ。
【００１９】
（９）  前記スリットの基端部において、該スリットの溝幅が基端方向に向かって拡大して形成され、前記開放部に連通する略Ｖ字状の隙間部を有する上記（１）ないし（８）のいずれかに記載のガイドワイヤインサータ。
【００２０】
（１０）  前記スリットは、前記管状部材の管壁の厚さ方向の少なくとも一部が密着している上記（１）ないし（９）のいずれかに記載のガイドワイヤインサータ。
【００２１】
（１１）  前記管状部材は、基端側から先端側に向けて外径が漸減するテーパ状をなす部分を有する上記（１）ないし（１０）のいずれかに記載のガイドワイヤインサータ。
【００２２】
（１２）  基端部に、前記ガイドワイヤの収納容器と連結可能な連結部を有する上記（１）ないし（１１）のいずれかに記載のガイドワイヤインサータ。
（１３）  前記収納容器は、チューブで構成されたものであり、
前記連結部は、その横断面がＣ字状の形状をなし、該Ｃ字状の内径が前記収納容器の外径よりも若干小さい上記（１２）に記載のガイドワイヤインサータ。
（１４）  前記内腔の前記開放部に開口した基端開口は、前記ガイドワイヤの導入口を形成し、該導入口の周囲は、前記管状部材の中心軸に対し傾斜した傾斜面となっている上記（１）ないし（１３）のいずれかに記載のガイドワイヤインサータ。
【発明の効果】
【００２３】
本発明によれば、湾曲した先端部等を有するガイドワイヤをガイドワイヤインサータの内腔に容易に挿入することができるとともに、該ガイドワイヤを例えば導入針、カテーテルまたはシース等の内腔に容易かつ確実に挿入することができる。
【００２４】
そして、本発明によれば、ガイドワイヤとガイドワイヤインサータとを片手で同時に保持することができるので、ガイドワイヤの収納容器からガイドワイヤインサータ内にガイドワイヤを移す際や、ガイドワイヤを導入針、カテーテルまたはシース等の内腔に挿入する際の操作性を向上することができる。
【発明を実施するための最良の形態】
【００２５】
以下、本発明のガイドワイヤインサータについて添付図面に示す好適実施形態に基づいて詳細に説明する。
【００２６】
図１は、本発明のガイドワイヤインサータの実施形態を示す側面図、図２および図３は、それぞれ、図１に示すガイドワイヤインサータの縦断面図および平面図、図４は、図１中のＡ−Ａ線断面図、図５は、図１中のＢ−Ｂ線断面図、図６は、図１中のＣ−Ｃ線断面図、図７〜図１２は、それぞれ、図１〜図６に示すガイドワイヤインサータの使用方法の一例を示す説明図である。
【００２７】
図１〜図６に示すように、ガイドワイヤインサータ１は、主に、内部に医療用長尺部材であるガイドワイヤ８を挿通可能な内腔（ガイドワイヤ通路）２２を有する管状部材２で構成されている。
【００２８】
管状部材２は、外径がほぼ一定の部分と、この部分より先端側に位置し、先端側に向けて外径が漸減するテーパ状をなすテーパ部２１とを有している。このようなテーパ部２１を有することにより、後述するシース等へのガイドワイヤインサータ１の挿入を容易かつ円滑に行うことができる。
【００２９】
なお、テーパ部２１のテーパ角度は、テーパ部２１の全長にわたって一定でも、途中で変化していてもよい。また、テーパ部２１は、２箇所以上形成されていてもよい。
【００３０】
管状部材２の先端部２５は、外径が他所より小さくなっている。この場合、先端部２５は、先端に向かって先細り（テーパ状）となっていてもよい。この先端部２５は、導入針、カテーテルまたはカテーテルのハブ、Ｙコネクタ等の各種コネクタ、シース等（図示せず）へ挿入され連結（接続）される部分であるとともに、ガイドワイヤ８の湾曲した先端部（先端湾曲部８１）を矯正（伸ばす）する機能を担う部分でもある。先端部２５が他所より細い形状、特に先細り形状となっていることにより、シース等への挿入、連結を容易かつ確実に行うことができる。
【００３１】
また、Ｙコネクタ等の内部に分岐があるような空間を有する器具に挿入、連結するために、先端部が先細り形状の細長い管状部材を別に備え、この部材の基端部が先端部２５と嵌合できるようにすることも可能である。このような先端部が先細り形状の細長い管状部材を備えることにより、この部材を先端部２５に嵌合して、Ｙコネクタ等の内部に分岐があるような器具に挿入することができるので、ガイドワイヤ８の先端湾曲部８１を伸ばしたまま挿入でき、内部の分岐にガイドワイヤ８の先端湾曲部８１が入り込むことが防止される。
【００３２】
内腔２２は、横断面がほぼ円形をなしている。内腔２２の先端は、管状部材２の先端に開口し、内腔２２の基端は、後述する開放部５に開口している。内腔２２の基端開口は、ガイドワイヤ８の導入口２３を形成し、内腔２２の先端開口は、ガイドワイヤ８の導出口２４を形成している。この場合、導入口２３および導出口２４の形状としは、それぞれ、円形、または円形以外の形状、例えば楕円形、多角形等が挙げられる。
【００３３】
内腔２２の内径は、管状部材２の全長にわたりほぼ一定でも、途中で変化する部分があってもよい。図示の構成では、内腔２２の基端側の部分において、内腔２２の内径が基端方向に向かって拡大（漸増）した部分を有する。これにより、ガイドワイヤ８を導入口２３から内腔２２内に導入する操作をより容易に行うことができる。
【００３４】
内腔２２の内径は、ガイドワイヤ８の挿通が十分に可能な程度のものであればよい。具体的には、内腔２２の最小内径は、０．４〜１．５ｍｍ程度であるのが好ましく、０．９〜１．３ｍｍ程度であるのがより好ましい。
【００３５】
なお、内腔２２の先端部の内径（最小内径）は、用いるガイドワイヤ８の外径より若干大きい程度のものが好ましく、内腔２２の内面とガイドワイヤ８の外面との間に生じる隙間ができるだけ少ないのが好ましい。これにより、ガイドワイヤ８の先端湾曲部の矯正をより適正に行うことができる。
【００３６】
管状部材２の構成材料としては、例えば、剛性がありながらある程度の弾性を有するものが好ましく、例えば、ポリエチレン、ポリプロピレン等のポリオレフィン、ポリアミド、ポリカーボネート、ポリエチレンテレフタレート、ポリブチレンテレフタレート等のポリエステル、ポリウレタン、ＳＥＢＳ樹脂、フッ素系樹脂、ポリオレフィンエラストマー、ポリアミドエラストマー、ポリエステルエラストマー、ポリウレタンエラストマー等の各種熱可塑性エラストマーのうちの１種または２種以上を組み合わせたもの（ポリマーアロイ、複合材料、積層体等）が挙げられる。
【００３７】
このような管状部材２は、スリット３が形成されている。このスリット３は、管状部材２全長にわって管状部材２の管壁を貫通して形成されている。このスリット３は、平面視（図３）では、直線状に形成されている。
【００３８】
このようなスリット３を設けたことにより、ガイドワイヤ８を管状部材２の内腔２２に挿入する際、スリット３が開き、この開いたスリット３を介して容易に挿入することができる。
【００３９】
図４に示すように、スリット３は、横断面がほぼＩ字状をなしている、すなわち管状部材２の管壁の内腔２２側から外周面側まで、ほぼ密着しているのが好ましいが、それ以外、例えば内腔２２側が密着したＹ字状またはＶ字状の態様のものでもよい。
【００４０】
スリット３は、管壁の厚さ方向の少なくとも一部が密着していることにより、一旦内腔２２内に挿入されたガイドワイヤ８がスリット３を通って不本意に外部へ飛び出すことが防止される。
【００４１】
図３に示すように、スリット３の基端部には、スリット３の溝幅が基端方向に向かって徐々に拡大して形成された隙間部４を有する。この隙間部４は、平面視で略Ｖ字状（楔形）をなしており、その最大に離間した部分（隙間部４の基端）において、開放部５の開放空間と連通している。
【００４２】
このような隙間部４を有することにより、隙間部４にてガイドワイヤ８を内腔２２内に挿入するきっかけ（始点）とすることができ、ガイドワイヤ８を内腔２２に容易に挿入することができる。すなわち、まず隙間部４にガイドワイヤ８を挿入し（宛がい）、それに続いてガイドワイヤ８を内腔２２に向かって押し込むことによりスリット３内に割り込ませ、スリット３を順次先端方向に向けて開いてゆき、ガイドワイヤ８を内腔２２内に順次挿入してゆくことができる。
【００４３】
隙間部４の軸方向（管状部材２の長手方向）の長さは、特に限定されないが、５〜１００ｍｍ程度であるのが好ましく、１５〜５０ｍｍ程度であるのがより好ましい。
【００４４】
ガイドワイヤインサータ１の基端部には、ガイドワイヤ８の容器であるホルダーチューブ９と連結可能な連結部６が設けられている。
【００４５】
この連結部６は、円筒の一部が切欠かかれた形状、すなわち横断面が略Ｃ字状の形状をなしている（図５参照）。連結部６の内側に形成された空間６２には、ガイドワイヤ８が挿入される。ホルダーチューブ９は、その先端部が連結部６の空間６２内に嵌入するようにして連結部６に連結され（図２および図５参照）、ホルダーチューブ９内に収納されているガイドワイヤ８が先端方向へ送り出されると、そのガイドワイヤ８は、連結部６の空間６２内に挿入されてゆく。
【００４６】
連結部６の内径は、ホルダーチューブ９の外径よりも若干小さい内径とし、ホルダーチューブ９を連結するときには、空間６２が少し広がって嵌合されるように構成されている。そして、嵌合後は、前述したように、連結部６の内径がホルダーチューブ９の外径より小さいので、連結部６とホルダーチューブ９とが確実に嵌合され、連結される。
【００４７】
連結部６の空間６２の中心軸は、管状部材２の内腔２２の中心軸とほぼ同軸となるように構成されている。これにより、連結部６の空間６２から先端方向へ送り出されたガイドワイヤ８が開放部５を通過して導入口２３から管状部材２の内腔２２内に挿入される際、その移動を円滑に行うことができる。
【００４８】
なお、連結部６の形状は、図示の形状のものに限定されず、ホルダーチューブ９に連結し得るものであればいかなる形状、構造のものでもよい。
【００４９】
管状部材２の導入口２３と連結部６との間には、管状部材２の内腔２２が開放した開放部５が設けられている。この開放部５は、ガイドワイヤ８を保持するガイドワイヤ保持部を構成する。図６に示すように、開放部５の内面５１は、湾曲凹面をなしているのが好ましいが、平面（平坦面）であってもよい。この内面５１内に位置するガイドワイヤ８を指で押さえて内面５１に対し押し付け、指の動きに応じてガイドワイヤ８を先端方向へ送り出すことあるいは基端方向へ戻すことができる。
【００５０】
内面５１には、ガイドワイヤ８に対する摩擦抵抗を軽減する処理が施されていてもよい。これにより、ガイドワイヤ８を先端方向へ送り出す操作や基端方向へ戻す操作（先端湾曲部８１の矯正の操作）の操作性が向上する。このような摩擦低減処理（摩擦低減手段）としては、例えば、内面５１に微小な凹凸（エンボス）や、溝（特に、軸方向を横切るような溝）を形成する方法、内面５１に例えばポリテトラフルオロエチレン（フッ素系樹脂）のような低摩擦材料の層を形成する等が挙げられる。
【００５１】
管状部材２の導入口２３の周囲は、管状部材２の中心軸に対し所定角度傾斜した傾斜面２６で構成されている。この傾斜面２６と前記内面５１とのなす角度α（図２参照）は、６０〜１７０°程度であるのが好ましく、８０〜１３５°程度であるのがより好ましい。これにより、前述したガイドワイヤ８を先端方向へ送り出す操作をより滑らかに行うことができる。
【００５２】
図３および図６に示すように、開放部５の側方には、ガイドワイヤインサータ１の中心軸を介して互いに反対方向に突出する一対の翼状の突片７が設けられている。
【００５３】
図示の構成では、各突片７は、平坦な形状をなしている。これにより、ガイドワイヤ８とガイドワイヤインサータ１の両者を片手で同時に保持することができるという利点がある。
【００５４】
また、突片７は、湾曲した部分を有する形状をなしているものでもよい。これにより、保持する指の形状に突片７がなじむようにすることができ、よって、より容易にガイドワイヤ８とガイドワイヤインサータ１を片手で同時に保持することができるという利点がある。
【００５５】
また、突片７は、平坦な形状の部分と湾曲した形状の部分の双方を有するものでもよい。これにより、湾曲した形状に術者の指の形状が合わない場合に、平坦な形状の部分でガイドワイヤ８とガイドワイヤインサータ１を片手で同時に確実に保持することができるという利点がある。
【００５６】
突片７の管状部材２の長手方向（軸方向）の長さＬは、ガイドワイヤインサータ１の全長の１０〜５０％程度であるのが好ましく、２０〜４０％程度であるのがより好ましい。長さＬがこのような範囲であると、手で把持したとき、長すぎず短すぎず、把持し易く、操作性の向上に寄与する。
【００５７】
各突片７の軸方向の形成領域と、開放部５の軸方向の形成領域とは、少なくとも一部が軸方向に重複しているのが好ましく、半分以上が重複しているのがより好ましく、全て重複しているのが最も好ましい。これにより、ガイドワイヤ８を先端方向へ送り出す操作や基端方向へ戻す操作（先端湾曲部８１の矯正の操作）の操作性がより向上する。
【００５８】
開放部５、連結部６および突片７の構成材料としては、それぞれ、例えば、ポリエチレン、ポリプロピレン等のポリオレフィン、ポリアミド、ポリカーボネート、ポリエチレンテレフタレート、ポリブチレンテレフタレート等のポリエステル、ポリウレタン、ＳＥＢＳ樹脂、フッ素系樹脂、ポリオレフィンエラストマー、ポリアミドエラストマー、ポリエステルエラストマー、ポリウレタンエラストマー等の各種熱可塑性エラストマーのうちの１種または２種以上を組み合わせたもの（ポリマーアロイ、複合材料、積層体等）が挙げられる。
【００５９】
管状部材２、開放部５、連結部６および突片７は、同一材料により一体的に形成されているのが好ましいが、異なる材料により多色成形されたものや、別部材を接着、融着等の方法により固着したものでもよい。
【００６０】
次に、本発明のガイドワイヤインサータの使用方法の一例について、図７〜図１２を参照しつつ順次説明する。図７〜図１２は、それぞれ、本発明のガイドワイヤインサータの使用方法の一例を示す断面側面図である。
【００６１】
図７に示すように、まず、ガイドワイヤインサータ１の連結部６にホルダーチューブ９の先端部を連結した状態で、開放部５の内面５１にガイドワイヤ８を指で押し付けながらガイドワイヤ８を先端方向へ送り出す。この操作は、片手で突片７および開放部５を握りながら、その手の親指でガイドワイヤ８の送り出しを行う。
【００６２】
次に、図８に示すように、ガイドワイヤ８の先端湾曲部８１をガイドワイヤインサータ１の先端よりも先端側に位置させた状態で、ガイドワイヤ８を隙間部４内に挿入する。
【００６３】
次に、ガイドワイヤ８の隙間部４内にある箇所を内腔２２に向かって押し込み、ガイドワイヤ８をスリット３内に割り込ませる。これにより、スリット３は、順次先端方向に向けて開いてゆき、これに伴い、ガイドワイヤ８が内腔２２内に順次挿入されてゆく（図９参照）。
【００６４】
上記操作を管状部材２の先端まで行うと、図１０に示すように、ガイドワイヤ８は、内腔２２内に挿通される。すなわち、ガイドワイヤ８は、導入口２３を通過して内腔２２を通り、導出口２４から先端方向に突出した状態となる。このとき、ガイドワイヤ８の先端湾曲部８１は、その湾曲形状を維持しながら、導出口２４より先端に突出した状態となっている。
【００６５】
次に、図１１に示すように、ガイドワイヤ８を基端方向に引くと、先端湾曲部８１が内腔２２内に収納され、ほぼ真っ直ぐな形状に矯正される。この操作は、片手で突片７および開放部５を握りながら、その手の親指でガイドワイヤ８を内面５１に押さえ付けながら基端方向へ戻すようにして行う。
【００６６】
図１１に示す状態を維持しつつ、ガイドワイヤインサータ１の先端部２５を、例えばシース１０の基端部の弁体１１内に挿入し、接続する（図１２参照）。そして、ガイドワイヤ８を前記と同様にして先端方向へ送り出すと、ガイドワイヤ８は、シース１０内に挿入されてゆく。
【００６７】
前述したように、ガイドワイヤ８の先端湾曲部８１の矯正が適正になされているため、先端部２５のシース１０等への接続作業やガイドワイヤ８のシース１０内への送り込み作業を容易かつ確実に行うことができる。
【００６８】
以上、本発明を図示の各実施形態に基づいて説明したが、本発明はこれらに限定されるものではなく、各部の構成は、同様の機能を発揮し得る任意の構成と置換することができ、また、任意の構成が付加されていてもよい。
【００６９】
例えば、図示の実施形態では、スリットは、平面視（図３）で直線状をなしているが、これに限らず、例えば、スリットの全部または一部が湾曲または屈曲している態様や螺旋状に延びている態様のものでもよい。
【図面の簡単な説明】
【００７１】
【図１】本発明のガイドワイヤインサータの実施形態を示す側面図である。
【図２】図１に示すガイドワイヤインサータの縦断面図である。
【図３】図１に示すガイドワイヤインサータの平面図である。
【図４】図１中のＡ−Ａ線断面図である。
【図５】図１中のＢ−Ｂ線断面図である。
【図６】図１中のＣ−Ｃ線断面図である。
【図７】本発明のガイドワイヤインサータの使用方法の一例を示す説明図（断面側面図）である。
【図８】本発明のガイドワイヤインサータの使用方法の一例を示す説明図（断面側面図）である。
【図９】本発明のガイドワイヤインサータの使用方法の一例を示す説明図（断面側面図）である。
【図１０】本発明のガイドワイヤインサータの使用方法の一例を示す説明図（断面側面図）である。
【図１１】本発明のガイドワイヤインサータの使用方法の一例を示す説明図（断面側面図）である。
【図１２】本発明のガイドワイヤインサータの使用方法の一例を示す説明図（部分断面平面図）である。
【符号の説明】
【００７２】
１          ガイドワイヤインサータ（長尺物導入器具）
２          管状部材
２１        テーパ部
２２        内腔
２３        導入口
２４        導出口
２５        先端部
２６        傾斜面
３          スリット
４          隙間部
５          開放部
５１        内面
６          連結部
６２        空間
７          突片
８          ガイドワイヤ
８１        先端湾曲部
９          ホルダーチューブ
１０        シース
１１        弁体
【図１】
0004653958.tif 000002
【図２】
0004653958.tif 000003
【図３】
0004653958.tif 000004
【図４】
0004653958.tif 000005
【図５】
0004653958.tif 000006
【図６】
0004653958.tif 000007
【図７】
0004653958.tif 000008
【図８】
0004653958.tif 000009
【図９】
0004653958.tif 000010
【図１０】
0004653958.tif 000011
【図１１】
0004653958.tif 000012
【図１２】
0004653958.tif 000013